(57)【要約】【課題】  消費電力の低減が可能な撮影装置を提供する。【解決手段】  ＣＣＤイメージセンサ３２から出力される画像信号を基にして画像データが形成される。形成された画像データはＳＲＡＭ３９に一時的に記憶される。色温度検知センサ５１からの色温度情報を基にしてＣＰＵ３７で外光の色温度が検知される。検知された外光の色温度に基づいてＤＳＰ３６でＲＧＢ値からなる画像データのＲ値、及びＢ値とが調節される。Ｒ値及びＢ値が調節された画像データが液晶パネル１３に入力される。画像データの入力された液晶パネル１３は導光板から供給される外光によって照明され、液晶パネル１３に画像が表示される。【選択図】        図２
2005165116.tif 000002
【特許請求の範囲】
【請求項１】
ＣＣＤイメージセンサから出力される画像信号を基にして画像データを形成する撮影装置において、
バックライト、あるいは外光のどちらかによって照明される液晶パネルと、
前記外光の色温度を検知する色温度検知手段と、
前記液晶パネルをバックライトによって照明する第１の照明モードと前記液晶パネルを外光によって照明する第２の照明モードとのうちのどちらかに設定する設定手段と、
前記第２の照明モードに設定された場合に、前記色温度検知手段によって検知された外光の色温度に応じてカラーバランスが補正された画像データを前記液晶パネルに入力する表示入力手段と、を設けたことを特徴とする撮影装置。
【請求項２】
前記色温度検知手段は、前記ＣＣＤイメージセンサから入力される画像信号を基にして外光の色温度を検知することを特徴とする請求項１に記載の撮影装置。
【請求項３】
前記色温度検知手段は、外部に露呈して設けられた色温度検知センサから入力される色温度情報を基にして外光の色温度を検知することを特徴とする請求項１に記載の撮影装置。
【請求項４】
前記液晶パネルの背面には外光を前記液晶パネルへと導く導光板が備えられ、この導光板の端に形成された採光部から外光が採り入れられており、前記色温度検知センサを前記採光部付近に設けたことを特徴とする請求項３に記載の撮影装置。
【請求項５】
前記第１の照明モードに設定された場合は、予め定められたカラーバランスに補正された画像データが前記液晶パネルに入力されることを特徴とする請求項１ないし４にいずれか１つ記載の撮影装置。
【発明の詳細な説明】
【技術分野】
【０００１】
本発明は撮影装置に関し、さらに詳しくはバックライトの他に外光を用いて透過型の液晶パネルを照明することができる液晶表示器を備えた撮影装置に関するものである。
【背景技術】
【０００２】
現在、デジタルカメラ等の撮影装置の普及が進み、そのほとんどには画像を表示する液晶表示器が設けられ、中には電話機能を有するものもある。液晶表示器には液晶パネルが備えられており、この液晶パネルを利用して撮影以前の被写体の確認や撮影で取得した画像の確認などが即座にでき、撮影装置の利便性が高められている。また、液晶パネルは消費電力が低く形状も薄いため、撮影装置の使用時間の長時間化や、撮影装置の小型化に適している。
【０００３】
液晶表示器には、画像が入力される液晶パネルと照明用の光を液晶パネルへと導く導光板と導光板に光を供給する光源とが設けられ、液晶パネルが光源からの放射光によって照明されるバックライト方式が一般に用いられている。ところがこのような方法で液晶パネルを照明しようとすると光源を発光させるための電力が必要となり、限られた電源しか備えていない撮影装置ではその使用時間を短縮してしまいかねない。そこで近年は太陽光などの外光を液晶パネルの照明光として利用する液晶表示器が実用化されている。特許文献１では外光をより多く採り入れることができ、かつバックライトの光を効率よく用いるために外光を取り入れる採光部に蓋を設けた液晶表示装置が示されている。
【０００４】
【特許文献１】特開２０００ー１１５６００号公報
【発明の開示】
【発明が解決しようとする課題】
【０００５】
しかしながら、バックライトあるいは外光を液晶パネルの照明光として用いる撮影装置において、外光を液晶パネルの照明光として用いる場合、外光の色温度によって液晶パネルに再現される色が異なってしまう。たとえば、夕方における太陽の光を外光として利用すると、太陽光の色温度が低く赤味がかっているために液晶パネルに入力された画像も赤味が強くなる。また色温度の高い青味がかった外光を照明光として利用しようとすると液晶パネルの画像も青味がかってしまう。このため撮影で取得された画像データが入力された液晶パネルが赤味がかった外光等によって照明されることでユーザが画像の色を誤って把握してしまうことがあった。
【０００６】
本発明は、上記の事情に鑑みてなされたものであり、その目的は、消費電力の低減が可能であって、外光を液晶パネルの照明光として用いる場合でも色調の正確な画像を液晶パネルに再現する撮影装置を提供することにある。
【課題を解決するための手段】
【０００７】
上記目的を達成するために、本発明の撮影装置では、ＣＣＤイメージセンサから出力される画像信号を基にして画像データを形成するデジタルカメラにおいて、バックライト、あるいは外光のどちらかによって照明される液晶パネルと、前記外光の色温度を検知する色温度検知手段と、液晶パネルがバックライトによって照明される第１の照明モードと液晶パネルが外光によって照明される第２の照明モードとのうちのどちらかに設定する設定手段と、前記第２の照明モードに設定された場合に、前記色温度検知手段によって検知された外光の色温度に応じてカラーバランスが補正された画像データを前記液晶パネルに入力する表示入力手段と、を設けたことを特徴とする。
【０００８】
また、前記色温度検知手段は前記ＣＣＤイメージセンサから入力される画像信号を基にして外光の色温度を検知することを特徴とする。
【０００９】
また、前記色温度検知手段は外部に露呈した温度検知センサから入力される色温度情報を基にして外光の色温度を検知することを特徴とする。
【００１０】
また、前記液晶パネルの背面には外光を前記液晶パネルへと導く導光板が備えられ、この導光板の端に形成された採光部から外光が採り入れられており、前記色温度検知センサを前記採光部付近に設けたことを特徴とする。
【００１１】
また、前記第１の照明モードに設定された場合は、予め定められたカラーバランスに補正された画像データが前記液晶パネルに入力されることを特徴とする。
【発明の効果】
【００１２】
本発明の撮影装置によれば、バックライト、あるいは外光のどちらかによって照明される液晶パネルと、外光の色温度を検知する色温度検知手段と、液晶パネルをバックライトによって照明する第１の照明モードと液晶パネルを外光によって照明する第２の照明モードとのうちのどちらかに設定する設定手段と、第２の照明モードに設定された場合に、色温度検知手段によって検知された外光の色温度に応じてカラーバランスが補正された画像データを液晶パネルに入力する表示入力手段と、を設けたことにより、外光が弱い場合ではバックライトを点灯して液晶パネルを照明し、外光が強い場合にはこれを利用して画像を液晶パネルに表示して消費電力の低減が可能となるとともに、外光を照明光として利用する場合でも色調の正確な画像を液晶パネルに再現できる撮影装置を提供することができる。
【発明を実施するための最良の形態】
【００１３】
図１（ａ）に本発明のデジタルカメラの外観を示す。デジタルカメラ２の前面には、レンズ鏡筒４に保持された撮影レンズ５が露出し、ストロボ光を投光するストロボ発光部７、及び被写体と対面するファインダ対物窓８が設けられている。デジタルカメラ２の上面にはシャッタボタン１０が設けられ、シャッタボタン１０を押圧することで被写体の画像データの記録動作が開始される。
【００１４】
デジタルカメラの背面を図１（ｂ）に示す。デジタルカメラ２の上面にはファインダ接眼窓１５が設けられている。デジタルカメラ２の背面にはデジタルカメラのモードを、被写体を撮影して画像データを形成するとともに記録メディアに記録する静止画撮影モード、記録メディアに記録された画像データを液晶パネル１３に表示するリプレイモード、１秒当たり数十フレームの動画を撮影する動画撮影モードのいずれか１つに設定する切り替えスイッチ１７と、ズーム等を行なうための操作レバー２０とが備えられている。操作レバー２０の下には、液晶パネル１３に表示されたメニューの選択と実行を行なう選択／実行ボタン２２、メニューの実行をキャンセルするキャンセルボタン２４、液晶パネル１３のＯＮ／ＯＦＦを切り替える切り替えボタン２６とが設けられている。
【００１５】
図２にデジタルカメラのブロック図を示す。レンズ鏡筒４にはズーミングを行うズーム用モータと焦点調整を行うフォーカス用モータとが組み込まれており、これらのモータはモータコントローラ３０によって駆動が制御されている。撮影レンズ５を通して被写体がＣＣＤイメージセンサ３２上に結像され、ＣＣＤイメージセンサ上に結像された被写体像が画像信号に光電変換され、この画像信号がアナログ処理回路３５に入力される。
【００１６】
アナログ処理回路３５は相関二重サンプリング回路と増幅回路とＡ／Ｄ変換回路とが含まれており、相関二重サンプリング回路で画像信号がＣＣＤイメージセンサ３２の各セルごとのＲＧＢアナログ信号に変換される。ＲＧＢアナログ信号は増幅回路で増幅され、Ａ／Ｄ変換回路で画像データにデジタル変換されてＲＧＢのデジタルデータからなる画像データが形成される。この一連の動作はデジタルシグナルプロセッサ（以下、ＤＳＰ）３６が含まれたＣＰＵ３７によって制御されており、ＣＰＵ３７はデジタルカメラ２の動作全般を制御している。
【００１７】
静止画撮影モードにおいてシャッタボタン１０が押下されると、Ｉ／Ｏ制御回路４０を介して信号がＣＰＵ３７に入力され、ＣＰＵ３７の命令に応答してアナログ処理回路３５からの画像データがＳＤＲＡＭ３９に蓄積される。ＳＤＲＡＭ３９に蓄積された画像データは画像処理回路４１に入力され、ここでガンマ補正、輪郭補正などの各種画像処理が行なわれ、画像処理が行なわれた画像データはＳＤＲＡＭ３９に一時的に記憶される。
【００１８】
ＳＤＲＡＭ３９に蓄積された画像データは圧縮処理回路４３に入力されて、所定の画質モードで圧縮される。圧縮処理された画像データはメディアコントローラ４５に入力されて、デジタルカメラ２に装着された記録メディア４７に記録される。
【００１９】
液晶表示器４９に設けられた液晶パネル１３は、外光あるいはバックライト用の光源である白色ＬＥＤ４８とのうちどちらかを用いて照明される。静止画撮影モードあるいは動画撮影モードにおいて液晶パネル１３がＯＮされた場合は、画像処理回路４１で処理されてＳＤＲＡＭ３９に記憶された画像データのホワイトバランスが、ＤＳＰ３６で補正されてＬＣＤ用画像データが形成される。ＬＣＤ用画像データは表示制御手段であるビデオインターフェース５０によって液晶パネル１３に入力され、ＬＣＤ用画像データが入力された液晶パネル１３が白色ＬＥＤ４８によって照明されてスルー画が表示される。
【００２０】
再生モードにおいて、液晶パネル１３がＯＮされ、白色ＬＥＤ４８によって液晶パネル１３が照明されるＬＣＤバックライト照明モード（第１の照明モード）では、記録メディア４７に記録された画像の中から選択された画像がＳＤＲＡＭ３９に読み出される。ＳＤＲＡＭ３９に読み出された画像データからＬＣＤ用画像データが形成され、ビデオインターフェース５０に入力されて液晶パネル１３に入力される。そして液晶パネルが白色ＬＥＤ４８によって照明されて画像が表示される。
【００２１】
外光によって液晶パネル１３が照明されるＬＣＤ外光照明モード（第２の照明モード）では、記録メディア４７に記録された画像の中から選択された画像がＳＤＲＡＭ３９に入力され、ＣＰＵ３７で検知された色温度に基づいて画像データのホワイトバランスがＤＳＰ３６で補正されてＬＣＤ用画像データが形成される。ＬＣＤ用画像データは表示入力手段であるビデオインターフェース５０を介して液晶パネル１３に入力され、液晶パネル１３は外光によって照明される。
【００２２】
外部表示装置５５に撮影した画像やスルー画を表示する場合は、専用の接続ケーブルで外部表示装置５５とデジタルカメラ２とを接続する。接続ケーブルを介してＣＰＵ３７で形成されたビデオ出力用画像データが出力され、外部表示装置５５に画像が表示される。
【００２３】
図３に液晶表示器４９を液晶パネル１３と垂直な平面で縦に切断した概略的な断面図を示す。液晶表示器４９には、液晶パネル１３と、液晶パネル１３の背面に備えられた半透過反射板６０と、そのさらに背面側に順に備えられた導光板６２と反射板６５とが設けられている。導光板６２の上端部に外光を採り入れる採光部６２ａが形成され、採光部６２ａから採り入れられた外光は導光板内を伝い、半透過反射板６０を通過して液晶パネル１３が照明される。導光板６２の上端部付近には外光の色温度情報をＣＰＵ３７に入力する色温度検知センサ５１が備えられ、導光板６２の下端部にはバックライト用の白色ＬＥＤ４８が備えらている。採光部６２ａの近くに色温度検知センサ５１を設けたことでＣＰＵ３７は液晶パネル１３を照明する外光の色温度を正確に検知することができる。
【００２４】
再生モード時のデジタルカメラ２の動作について説明する。モード切り替えスイッチ１７をスライドさせてデジタルカメラ２を再生モードにすると、液晶パネル１３には図４に示すメニュー画像が表示される。このときデジタルカメラ２は自動的にＬＣＤバックライト照明モードに設定され、メニュー画像が入力された液晶パネル１３は白色ＬＥＤ４８によって照明される。ユーザはメニュー画面から白色ＬＥＤ４８で液晶パネル１３を照明するＬＣＤバックライト照明モードを利用するか、外光で液晶パネル１３を照明するＬＣＤ外光照明モードを利用するかを設定手段である操作レバー２０を操作して選択する。ユーザが操作レバー２０を操作すると操作信号がＩ／Ｏ制御回路４０を介してＣＰＵ３７に入力され、所望の照明モードに設定される。
【００２５】
図５にＬＣＤ外光照明モードにおけるデジタルカメラ２の動作を説明する部分ブロック図を示す。記録メディア４７に記録された画像の中から選択された画像はＳＤＲＡＭ３９に一時的に記憶される。色温度検知センサ５１からの外光の色温度情報がＣＰＵ３７に入力されて外光の色温度が検知され、この検知された色温度を基にしてＤＳＰ３６ではＳＤＲＡＭ３９から入力される画像データのＲとＢの値を変更してホワイトバランスを補正する。このときＧの値は固定されＲ値、及びＢ値が変更される。例えば、検知された外光の色温度が低い場合にはＲ値を下げてＢ値を上げ、また色温度が高い場合にはＢ値が下げられＲ値が上げられる。Ｒ値およびＢ値が調節されるとともにサイズ等も調節されてＬＣＤ用画像データはＳＤＲＡＭ３９に一時的に蓄積される。ＬＣＤ用画像データはＳＤＲＡＭ３９から表示入力手段であるビデオインターフェース５０を介して液晶パネル１３に入力される。ＬＣＤ用画像データが入力された液晶パネル１３は導光板６２から供給される外光によって照明される。
【００２６】
図６のフローチャートを用いてデジタルカメラ２の作用を説明する。ＣＣＤイメージセンサからの画像信号を処理して画像データが形成され、デジタルカメラが静止画撮影モードあるいは動画撮影モードであり液晶パネル１３がＯＮ状態である場合には、スルー画が液晶パネル１３に表示される。静止画撮影モードでシャッタボタン１０が押された場合は、画像データが記録メディア４７に記録される。
【００２７】
スルー画像や記録メディア４７に記録された画像がビデオ出力される場合は、画像データのＲＧＢ値が予め定められた値に設定されてビデオ出力用画像データが形成される。ビデオ出力用画像データは接続ケーブルを介して外部表示装置５５に出力される。
【００２８】
再生モードにおいて、ユーザによってＬＣＤ外光照明モードが選択された場合、色温度検知センサ５１から外光の色温度情報がＣＰＵ３７に入力される。ＣＰＵ３７で検知された外光の色温度を基にしてＤＳＰ３７で画像データのＲＧＢ値が調節されて、ＬＣＤ用画像データが形成される。形成されたＬＣＤ用画像データはＳＤＲＡＭ３９に一時的に記憶される。
【００２９】
ＬＣＤ用画像データはＳＤＲＡＭ３９からビデオインターフェース５０を介して液晶パネル１３に入力される。液晶パネル１３は導光板６２から供給される外光によって照明され、液晶パネル１３には外光の色温度に基づいてホワイトバランスが補正された画像が表示される。
【００３０】
ユーザによってＬＣＤバックライト照明モードが選択された場合は、画像データのＲＧＢ値は予め定められた値に設定されてＬＣＤ用画像データが形成される。形成されたＬＣＤ用画像データは液晶パネル１３に入力され、白色ＬＥＤ６８が点灯して液晶パネル１３が照明される。
【００３１】
なお、上記の実施形態では外光の色温度に基づいて画像データのＲ値とＢ値とを調節してホワイトバランスが補正された画像を液晶パネル１３に表示したが、輝度データＹと２つの色差データＣｂ，Ｃｒとからなる画像データのうち、色差データＣｂ，Ｃｒの値を調整してカラーバランスが補正された画像を液晶パネルに表示してもよい。図７に色差データを補正するデジタルカメラの動作を示すフローチャートを示す。ＣＣＤイメージセンサからの画像信号より形成されたＲＧＢデジタルデータを基にして所定の演算を行って輝度データＹを求め、算出された輝度データＹとＲ値とから色差データＣｂ値が求められ，輝度データＹとＢ値から色差データＣｒ値が求められる。ＹＣｂＣｒ形式で形成された画像データはメディアコントローラを介して記録メディアに記録される。再生モードにおいて液晶パネル１３がＯＮされＬＣＤ外光照明モードに設定された場合、色温度検知センサ５１によって検知された外光の色温度情報に応じて色差データＣｂ，ＣｒがＤＳＰで補正されて液晶パネル入力用の画像データが形成される。液晶パネル１３に入力された画像データは導光板を伝った外光によって照明されて、画像が表示される。ＬＣＤバックライト照明モードに設定された場合は、色差データＣｂ，Ｃｒは予め定められた値に設定されて液晶パネルに入力され、白色ＬＥＤが点灯して液晶パネル１３に入力された画像データが照明される。撮影で取得された画像を外部の表示装置に表示する場合には、色差データＣｂ、Ｃｒは予め定められた値に補正されてビデオ出力用の画像データが形成される。
【００３２】
また、上記の実施形態ではＣＰＵ３７にＤＳＰ３６が含まれており、このＤＳＰ３６にっよって画像データのＲＧＢ値を画素毎に補正したが、これ以外の方法によって画像データを補正してもよい。例えば、ＤＳＰの替わりにルックアップデータテーブル（以下、ＬＵＴ）とＣＰＵとを用いて画像データを補正してもよい。例えば、蛍光灯、太陽光、夕日、朝日などの色温度に対応して画像データを補正するためのＬＵＴをデジタルカメラに備えられたＲＯＭに予め記録しておき、検知された外光の色温度に応じてＲＯＭからＬＵＴを読み出して画像データを補正する。このような方式では高価なＤＳＰを用いることなく画像データのカラーバランスを補正することができるためデジタルカメラのコストを低減することができる。
【００３３】
また、上記の実施形態では２つの照明モードからどちらか１つを選択するメニュー画面を液晶パネル１３に表示して照明モードを設定したが、照明モードの設定手段はこれに限らない。例えば、液晶パネル１３の下などに左右にスライド移動可能であって一方の側でＬＣＤ外光照明モードに設定され、他方でＬＣＤバックライト照明モードに設定されるスライドスイッチを設け、このスライドスイッチを左側、または右側に移動させることで照明モードを設定してもよい。
【００３４】
次に画像信号を出力するＣＣＤイメージセンサを利用して外光の色温度を検知する第２実施形態について説明する。ＣＣＤイメージセンサからの画像信号を用いて外光の色温度を検知するデジタルカメラのブロック図を図８に示す。外光の色温度はＣＣＤイメージセンサ７５から出力される画像信号を基にＣＰＵ３７によって検知される。ＬＣＤ外光照明モードでは、図９の部分ブロック図に示すように、ＣＰＵ３７で検知された外光の色温度に応じて、ＤＳＰ３６がＳＤＲＡＭ３９に読み出された画像データのＲＧＢ値を変更して表示用画像データを形成する。表示用画像データはビデオインターフェースを介して液晶パネル１３に入力され、導光板から供給される外光によって液晶パネル１３が照明されて画像が表示される。このようにＣＣＤイメージセンサ７５から出力される画像信号を利用して色温度を検知することで、デジタルカメラの部品点数を減らすことができる。
【００３５】
なお、上記の第１実施形態及び第２実施形態ではデジタルカメラを例示したが、本発明はこれに限らず、例えばＣＣＤイメージセンサを備えたカメラ付き携帯電話に本発明を実施してもよい。これにより、より利便性が高められたカメラ付き形態電話を提供することができる。
【図面の簡単な説明】
【００３６】
【図１】本発明を実施したデジタルカメラの前面側、および背面側の斜視図である。
【図２】図１に示したデジタルカメラのブロック図である。
【図３】液晶表示器を液晶パネルと垂直な平面で縦に切断した概略的な断面図である。
【図４】メニューが表示された液晶画面の平面図である。
【図５】画像データの補正動作を説明する部分ブロック図である。
【図６】デジタルカメラの作用を示すフローチャートである。
【図７】外光の色温度に基づいて色差データを変更して液晶パネルに画像を表示する場合のフローチャートである。
【図８】ＣＣＤイメージセンサを利用して外光の色温度を検知するデジタルカメラの第２実施形態のブロック図である。
【図９】第２実施形態のデジタルカメラにおいて画像データの補正動作を説明する部分ブロック図である。
【符号の説明】
【００３７】
２    デジタルカメラ
１３    液晶パネル
３６    ＤＳＰ
３７    ＣＰＵ
３９    ＳＤＲＡＭ
４１    画像処理回路
４８    白色ＬＥＤ
５０    ビデオインターフェース
５１    色温度検知センサ
６２    導光板
６２ａ  採光部
【図１】
2005165116.tif 000003
【図２】
2005165116.tif 000004
【図３】
2005165116.tif 000005
【図４】
2005165116.tif 000006
【図５】
2005165116.tif 000007
【図６】
2005165116.tif 000008
【図７】
2005165116.tif 000009
【図８】
2005165116.tif 000010
【図９】
2005165116.tif 000011